(57)【要約】【課題】光ファイバ（心線）を折損することなく、これに簡単な目印を取り付けることで、クロージャ内において収容局向が同一の心線を対象に局方向矢印と局方向電柱番号を標示し，ドロップケーブル接続先の心線を容易に選定し、かつ心線の誤切断を防止する。【解決手段】加入者向けドロップケーブル接続工事を行う際に使用する光ケーブル心線用局方向標示器具１であり、光クロージャ５１内の心線６に、可撓性を有するシートに、収容局方向を示す矢印３と、心線番号、電柱番号等の文字・記号４を表記した標示器具本体２と、標示器具本体２に連続して形成された、心線６に着脱自在に巻き付けられる掛止部５と、から成り、収容局方向・心線番号等を標示する。【選択図】図２
2010181598.tif 000002
【特許請求の範囲】
【請求項１】
加入者向けドロップケーブル接続工事を行う際に、光クロージャ（５１）内の心線（６）に、収容局方向・心線番号等を標示する光ケーブル心線用局方向標示器具（１）であって、
可撓性を有するシートに、収容局方向を示す矢印（３）と、心線番号・電柱番号等の文字・記号（４）を表記した標示器具本体（２）と、
前記標示器具本体（２）に連続して形成された、前記心線（６）に着脱自在に巻き付けられる掛止部（５）と、から成る、ことを特徴とする光ケーブル心線用局方向標示器具。
【請求項２】
前記方向標示器具（１）は、略四角形状の標示器具本体（２）の一辺から連続する首部（５ａ）に形成した略半円形状の掛止部（５）を、該標示器具本体（２）に開けた掛止長穴（７）に差し込んで心線（６）に取り付けるように構成した、ことを特徴とする請求項１の光ケーブル心線用局方向標示器具。
【請求項３】
前記方向標示器具（１）は、略長方形状の標示器具本体（２）の長手方向の一端に粘着剤（９）を塗布した掛止部（５）を、該標示器具本体（２）を心線（６）に巻き付けた状態で、該標示器具本体（２）の一部に貼り付けて心線（６）に取り付けるように構成した、ことを特徴とする請求項１の光ケーブル心線用局方向標示器具。
【請求項４】
前記方向標示器具（１）は、略長方形状の標示器具本体（２）の長手方向の先端側に第一スリット（１０）を、該第一スリット（１０）の反対側に開口を有する第二スリット（１１）をそれぞれ設けた掛止部（５）を、前記心線（６）に巻き付けた状態で、該第一スリット（１０）と第二スリット（１１）を相互に差し込んで心線（６）に取り付けるように構成した、ことを特徴とする請求項１の光ケーブル心線用局方向標示器具。
【請求項５】
前記方向標示器具（１）は、略長方形状の標示器具本体（２）の一辺から連続する首部（１２）の先端に丸穴（１３）を形成した掛止部（５）に、該標示器具本体（２）を長手方向に細く丸めて差し込んで心線（６）に取り付けるように構成した、ことを特徴とする請求項１の光ケーブル心線用局方向標示器具。
【発明の詳細な説明】
【技術分野】
【０００１】
本発明は、光ケーブルから加入者宅へドロップケーブルを引き落とす工事に際し、そのドロップケーブル接続先の心線を選定しやすいように標示する光ケーブル心線用局方向標示器具に関する。
【背景技術】
【０００２】
ＦＴＴＨ架空の光クロージャ５１は、図８の概略説明図に示すように、電柱５２間に架設された光ケーブル５３から各加入者（需要家）宅５４へドロップケーブル５５を引き落す際に使用される。このＦＴＴＨ（ＦＩＢＥＲ Ｔｏ Ｔｈｅ Ｈｏｍｅ）とは、
1233808206171_0
を伝送路として加入者宅５４へ直接引き込む、アクセス系
1233808206171_1
の網構成方式である。この接続工事に際しては、加入者宅５４の地上において、ドロップケーブル５５を引き落すためのクロージャ電柱番号および収容局方向の電柱番号を確認する。このとき工事票で指示された電柱５２と照合する。
【０００３】
次に、作業者は電柱５２に登り、その柱上において、図９の概略説明図に示すように、光クロージャ５１における割当心線を確認し、それを取り出し、ドロップケーブル心線５９と接続した後、これを光クロージャ５１内に収納する。光クロージャ５１は図示するように、ケース５６内にカプラ及び余長収納トレイ５７と保護シート５８を収納したものである。カプラ及び余長収納トレイ５７にドロップケーブル心線５９を納めたドロップケーブル５５を引き落とし、各加入者宅５４へ引き込む。光クロージャ５１の取り付けに際して、スロット単位で心線判別用の色チューブを巻き付ける。カプラ及び余長収納トレイ５７内に接続点６０を収納する。
【０００４】
電柱５２柱上において、割当心線を含むケーブルスロット（４心テープ×５）から割当心線を含むテープ（４心）を取り出す。このとき図１０に示すような心線識別早見表６１に基づいて判断する。次に、割当心線を含むテープ（４心）を２心に分割する。分割後の割当心線を含むテープ２心をセンターカットする。このときも心線識別早見表６１により判断する。
【０００５】
更に、電柱５２柱上において、取り出したスロットと同色のチューブを取り付ける。カットした２心のうち収容局方向側の２心をトレイへ収納する。
【０００６】
光クロージャ５１内の心線・テープ等には収容局方向・収容局方向電柱番号等の標示が無いため、加入者宅５４向けドロップケーブル接続工事を行う場合は事前に工事指示された収容局方向の電柱番号を基に隣接する電柱５２の番号等を確認し、収容局方向を認識する必要がある。
【０００７】
加入者宅５４の地上において、工事指示された収容局方向の電柱５２の番号を確認し、収容局方向を認識した後に電柱５２柱上における作業に着手するが、それを失念した場合は電柱５２柱上における作業を中止し、加入者宅５４の地上において再度確認しなければならず作業効率が低下することがある。また、それらを誤認した場合は、心線の誤切断につながり事後処理を要する。
【０００８】
このように光ファイバ通信設備で使用される複数の光ファイバ心線を識別する技術として、例えば特許文献１の特開２００６−８４５２０号公報「光ファイバ心線用識別子」に示すように、光ファイバ心線の周面を部分的に覆うことが可能でありかつ着色可能な帯状被覆材が、螺旋を画きながら一方向へ延びて前記螺旋の径方向中央に内径Ｄを有し前記一方向へ延びる光ファイバ心線収容部を形成するとともに、前記一方向において隣り合う前記帯状被覆材どうしが前記光ファイバ心線を挿入可能な幅Ｗのギャップを形成し、光ファイバ心線の周面に取り付けて複数の光ファイバ心線を１本ずつ識別することを可能にする識別子が提案されている。
【特許文献１】特開２００６−８４５２０号公報
【発明の開示】
【発明が解決しようとする課題】
【０００９】
しかし、同種のケーブルが輻輳し、同一電柱５２に光クロージャ５１が複数設置されている場合等は、確認作業に手間取り作業効率が低下するという問題を有していた。特に、電柱５２の柱上での作業では尚更のことであった。
【００１０】
なお、光ファイバ（心線）は、細く折れやすく、曲げ、張力、振動、圧力に弱いとう性質を有する。これに直接ペン等で収容局方向、接続先の心線番号等を記入することはできなかった。
【００１１】
特許文献１の「光ファイバ心線用識別子」は、光ファイバ心線１本ずつの識別を容易にする技術であるが、接続先心線の選定を容易にするものではなかった。また、この識別子は、複雑な構造を有し、嵩張りやすく、安価に製造できないという問題を有していた。
【００１２】
本発明は、かかる問題点を解決するために創案されたものである。すなわち、本発明の目的は、光ファイバを折損することなく、これに簡単な目印を取り付けることで、光クロージャ内において収容局向が同一の心線について、局方向矢印と局方向電柱番号を標示し、ドロップケーブル接続先の心線を容易に選定し、かつ心線の誤切断を防止することができる光ケーブル心線用局方向標示器具を提供することにある。
【課題を解決するための手段】
【００１３】
本発明によれば、加入者向けドロップケーブル接続工事を行う際に、光クロージャ（５１）内の心線（６）に、収容局方向・心線番号等を標示する光ケーブル心線用局方向標示器具（１）であって、可撓性を有するシートに、収容局方向を示す矢印（３）と、心線番号・電柱番号等の文字・記号（４）を表記した標示器具本体（２）と、前記標示器具本体（２）に連続して形成された、前記心線（６）に着脱自在に巻き付けられる掛止部（５）と、から成る、ことを特徴とする光ケーブル心線用局方向標示器具が提供される。
【００１４】
例えば、前記方向標示器具（１）は、略四角形状の標示器具本体（２）の一辺から連続する首部（５ａ）に形成した略半円形状の掛止部（５）を、該標示器具本体（２）に開けた掛止長穴（７）に差し込んで心線（６）に取り付けるように構成したものである。
前記方向標示器具（１）は、略長方形状の標示器具本体（２）の長手方向の一端に粘着剤（９）を塗布した掛止部（５）を、該標示器具本体（２）を心線（６）に巻き付けた状態で、該標示器具本体（２）の一部に貼り付けて心線（６）に取り付けるように構成することができる。
【００１５】
前記方向標示器具（１）は、略長方形状の標示器具本体（２）の長手方向の先端側に第一スリット（１０）を、該第一スリット（１０）の反対側に開口を有する第二スリット（１１）をそれぞれ設けた掛止部（５）を、前記心線（６）に巻き付けた状態で、該第一スリット（１０）と第二スリット（１１）を相互に差し込んで心線（６）に取り付けるように構成することができる。
前記方向標示器具（１）は、略長方形状の標示器具本体（２）の一辺から連続する首部（１２）の先端に丸穴（１３）を形成した掛止部（５）に、該標示器具本体（２）を長手方向に細く丸めて差し込んで心線（６）に取り付けるように構成することができる。
【発明の効果】
【００１６】
上記構成の発明では、ドロップケーブル接続工事の際に、収容局向が同一の心線（６）について、局方向矢印（３）と局方向電柱番号等の文字・記号（４）が方向標示器具（１）により標示されているので、光クロージャ（５１）内における多数の心線（６）の中から対象とする心線（６）、即ちドロップケーブル接続先の心線（６）を容易に選定することができる。これにより心線（６）の誤切断を防止することができる。標示器具本体（２）の掛止部（５）を、同じ標示器具本体（２）の掛止長穴（７）に差し込む構成であるために、心線（６）へ容易に取り付けることができる。
【００１７】
方向標示器具（１）は、可撓性を有するシート素材からなるので、折れやすく、曲げ、圧力等に弱い心線（６）を折損することがない。更に、方向標示器具（１）は、薄いシート素材からなるので、嵩張らず、容易に保管することができる。また、着脱自在になるためにこの方向標示器具（１）は何回でも利用できる。
【００１８】
また、粘着剤（９）を塗布した掛止部（５）の方向標示器具（１）では、掛止部（５）の粘着面を、標示器具本体（２）の何れの場所に貼れるので、心線（６）等の束の大小に応じて、この心線（６）を巻き付ける内径を加減することができる。
第一スリット（１０）と第二スリット（１１）から成る方向標示器具（１）では、これを心線（６）に巻き付けた後このスリット（１０，１１）同士を相互に容易に差し込む構成であるために、心線（６）に容易に取り付けることができる。この方向標示器具（１）は、単純な形状の１枚の標示器具本体（２）に２本のスリット（１０，１１）を設けた構造であるために、製造コストを低減できる。
丸穴（１３）を形成した掛止部（５）の方向標示器具（１）では、この丸穴（１３）に標示器具本体（２）を長手方向に細く丸めて差し込む構成であるために、光クロージャ（５１）内での心線・テープ選定作業等における移動等の外力による脱落を防止することができる。
【発明を実施するための最良の形態】
【００１９】
本発明の光ケーブル心線用局方向標示器具は、加入者向けドロップケーブル接続工事を行う際に、光クロージャ内の心線に着脱自在に取り付けることができる、収容局方向・心線番号等を標示する標示器具である。
【実施例１】
【００２０】
以下、本発明の好ましい実施の形態を図面を参照して説明する。
図１は実施例１の光ケーブル心線用局方向標示器具を示す正面図である。図２は実施例１の方向標示器具を光心線の束に取り付けた状態を示す斜視図である。図３は実施例１の方向標示器具をドロップクロージャ内の光ケーブルに取り付けた状態を示す斜視図である。
実施例１の光ケーブル心線用局方向標示器具１は、略四角形状の標示器具本体２に収容局方向を示す矢印３と、心線番号等の文字・記号４を表記した標示器具である。この標示器具本体２の一辺から連続する首部５ａを形成し、この首部５ａに抜止めとなる略半円形状の掛止部５を形成した。この掛止部５を、心線６等に巻き付けた状態で標示器具本体２に開けた掛止長穴７に差し込み、光心線６への取り付けが完了する。
【００２１】
この掛止部５は、掛止長穴７から抜き取ることができるので、光心線６から方向標示器具１を容易に外すことができる。掛止長穴７には、更に切込み８を設け、掛止部５を差し込みやすく、抜けないようになっている。そこで、この方向標示器具１は何回でも利用できる。
【００２２】
本発明の標示器具本体２と掛止部５は、心線６に容易に巻き付けられるように可撓性を有する素材が好ましい。例えば、標示器具本体２と掛止部５とは、一枚の可撓性を有するシート素材から成る。心線６（光ファイバ）は、細く折れやすく、曲げ、張力、振動、圧力に弱いという欠点がある。そこで、標示器具として取り付けている状態、又はこの標示器具を取り付ける際に、心線６（光ファイバ）を折損しないように、軟らかい素材、即ち可撓性を有する素材が好ましい。同時、可撓性があれば心線６（光ファイバ）に容易に巻き付けることもできる。
【００２３】
この標示器具本体２は必要に応じて着色したものを使用することができ、心線６の色彩に合わせられる。また、標示器具本体２に蓄光塗料を塗布することにより、夜間作業でもその矢印３、文字・記号４を明瞭に判別できるようになる。
【００２４】
そこで、本発明の局方向標示器具１は、例えば軟質塩化ビニル製のシートを用いた。これは上述したように、心線６（光ファイバ）を折損しないだけでなく、シート状であるために、重ばらず容易に保管できるという特徴もある。また、着脱自在の構造であるために何回でも利用できる。なお、方向標示器具１の素材は、この塩化ビニルに限定されず、その他の可撓性を有する合成樹脂を用いることができる。更に、防水処理を施した紙を使用することも可能である。
【００２５】
この局方向標示器具１は、光クロージャ５１内において収容局向が同一の心線６について、局方向矢印３と局方向電柱番号の文字・記号４を標示することにより、ドロップケーブル接続工事の際に、図２に示すように、多数の心線６の中から対象とする心線６、即ちドロップケーブル接続先の心線６を容易に選定することができる。
【００２６】
本発明の局方向標示器具１は、図３に示すように、光クロージャ５１のケース５６内において、光ケーブルに取り付けることも勿論できる。図示例では、分かりやすいように、1本の光ケーブルに局方向標示器具１を取り付けた状態を示している。
【００２７】
図４は実施例１の光ケーブル心線用局方向標示器具の変形例を示し、（ａ）は正面図、（ｂ）は心線に巻き付けた状態である。
上記図示例の局方向標示器具１は、これを心線６に巻き付けた状態で、標示器具本体２部分と掛止部５とが略正方形状になる形状のものである。局方向標示器具１の形状は、このように取り付けた状態で略正方形状になるような形状に限定されない。局方向標示器具１は、心線６に着脱自在に巻き付けることができ、そこに局方向矢印３と局方向電柱番号の文字・記号４が表記されていれば十分である。そこで、図４に示すように、全体が短冊形状をなし、掛止部５は細長い首部５ａの先端に半円形状に抜け止めを形成したものでもよい。このような形状であれば、局方向標示器具１と心線６、光ケーブルに接触する面積が小さくなり、心線６、光ケーブルへの負担が軽減されるという特徴がある。
【実施例２】
【００２８】
図５は実施例２の光ケーブル心線用局方向標示器具を示し、（ａ）は正面図、（ｂ）は心線に巻き付けた状態である。
実施例２の局方向標示器具１も、全体が短冊形状になる略長方形状の標示器具本体（２）である。この標示器具本体２には局方向矢印３と局方向電柱番号の文字・記号４を表記する。この標示器具本体２の長手方向の一部に粘着剤９を塗布した掛止部５を、標示器具本体２を心線６に巻き付けた状態で、標示器具本体２の一部に貼り付けるように構成した。
【００２９】
実施例２の局方向標示器具１では、粘着剤９を塗布した掛止部５を標示器具本体２を何れの場所に自由に貼れるので、心線６等の束の大小（外径の大小）に応じて、この心線６を巻き付ける大きさを可変できる。また、この実施例２の局方向標示器具１では、粘着剤９の粘着力が極端に低下するまでは何回でも使用することができる。
【実施例３】
【００３０】
図６は実施例３の光ケーブル心線用局方向標示器具を示し、（ａ）は正面図、（ｂ）は心線に巻き付ける状態、（ｃ）は巻き付けた状態である。
実施例３の局方向標示器具１は、略長方形状の標示器具本体２の長手方向の先端側に第一スリット１０を、この第一スリット１０の反対向きに開口を有する第二スリット１１をそれぞれ設けた掛止部５を、心線６に巻き付けた状態で、この第一スリット１０と第二スリット１１を相互に差し込むように構成した。
【００３１】
実施例３の局方向標示器具１では、これを心線６に巻き付けた後、第一スリット１０と第二スリット１１同士を相互に差し込むだけで容易に取り付けることができる。この局方向標示器具１は、１枚の標示器具本体２に２本のスリット１０，１１を設けた単純な形状であるために、安価に製造できるだけでなく、その保管が容易である。
【実施例４】
【００３２】
図７は実施例４の光ケーブル心線用局方向標示器具を示し、（ａ）は正面図、（ｂ）は心線に巻き付けた状態である。
実施例４の局方向標示器具１は、略長方形状の標示器具本体２の一辺から連続する首部１２の先端に丸穴１３を形成した掛止部５に、標示器具本体２を長手方向に細く丸めて差し込んで心線６に取り付けるように構成した。
【００３３】
実施例４の局方向標示器具１では、この丸穴１３に標示器具本体２を長手方向に細く丸めて差し込む構造であるために、外力による脱落を防止することができる。この局方向標示器具１は、心線６、光ケーブルに接触する面積が小さくなり、心線６、光ケーブルへの負担が軽減されるという特徴がある。
【００３４】
なお、本発明は、心線６を折損することなく、光クロージャ５１内において収容局向が同一の心線６について、局方向の矢印３と局方向電柱番号等の文字・記号４を標示し、ドロップケーブル接続先の心線６を容易に選定し、かつ心線６の誤切断を防止することができれば、上述した実施例に限定されず、本発明の要旨を逸脱しない範囲で種々変更できることは勿論である。
【産業上の利用可能性】
【００３５】
本発明の光ケーブル心線用局方向標示器具は、光ケーブルから加入者宅へドロップケーブルを引き落とす工事に際して、ドロップケーブル接続先の心線を選定するときに利用するだけでなく、複数あるケーブル、ハーネス、その他の線材から特定のものを選定する作業の際にも利用することができる。
【図面の簡単な説明】
【００３６】
【図１】実施例１の光ケーブル心線用局方向標示器具を示す正面図である。
【図２】実施例１の方向標示器具を光心線の束に取り付けた状態を示す斜視図である。
【図３】実施例１の方向標示器具をドロップクロージャ内の光ケーブルに取り付けた状態を示す斜視図である。
【図４】実施例１の光ケーブル心線用局方向標示器具の変形例を示し、（ａ）は正面図、（ｂ）は心線に巻き付けた状態である。
【図５】実施例２の光ケーブル心線用局方向標示器具を示し、（ａ）は正面図、（ｂ）は心線に巻き付けた状態である。
【図６】実施例３の光ケーブル心線用局方向標示器具を示し、（ａ）は正面図、（ｂ）は心線に巻き付ける状態、（ｃ）は巻き付けた状態である。
【図７】実施例４の光ケーブル心線用局方向標示器具を示し、（ａ）は正面図、（ｂ）は心線に巻き付けた状態である。
【図８】ドロップクロージャから1233808206171_2を伝送路として加入者宅へ引き込む状態を示す概略説明図である。
【図９】ドロップクロージャ内の状態を示す概略説明図である。
【図１０】心線識別早見表の一例を示す表面図である。
【符号の説明】
【００３７】
１  光ケーブル心線用局方向標示器具
２  標示器具本体
３  収容局方向を示す矢印
４  心線番号・電柱番号等の文字・記号
５  掛止部
６  心線
７  掛止長穴
９  粘着剤
１０  第一スリット
１１  第二スリット
１２  首部
１３  丸穴
５１  光クロージャ
【図１】
2010181598.tif 000003
【図２】
2010181598.tif 000004
【図３】
2010181598.tif 000005
【図４】
2010181598.tif 000006
【図５】
2010181598.tif 000007
【図６】
2010181598.tif 000008
【図７】
2010181598.tif 000009
【図８】
2010181598.tif 000010
【図９】
2010181598.tif 000011
【図１０】
2010181598.tif 000012